(57)【要約】【課題】既設のユニットバスの老朽化に伴って、短納期で廉価な費用で施工できるユニットバス床面の改装構造及び改装工法を提供すること。【解決手段】ユニットバス１の床面９に、改装床部１０を増し貼りする。改装床部１０は、浴槽４との間に側溝１５Ａを形成しつつ、接着層１１と接着層１の上層に貼着する床材１３で形成する。接着剤１２を床面９に貼着する際、床勾配を考慮して、床面９の低い位置を厚くするようにして上面を水平面に形成する。床材１３を接着層１１上に貼着する際は、隣接する単材の床材１３、１３を直接又は両面テープ等で突き付けるようにして接合する。側溝１５Ａには、側溝１５上面および側溝１５Ａの周辺にわたって塗装層１６を形成する。【選択図】図４
2008248694.tif 000002
【特許請求の範囲】
【請求項１】
合成樹脂複合材料で形成された床面と四方の壁部と天井と、を備えて一体的に構成され、床面には排水口が配設されるとともに、少なくとも浴室と洗面室とを備え、前記浴室には浴槽が配設されるとともに前記洗面室には少なくとも洗面器が配設されたユニットバスにおける前記洗面室の床面を改装するユニットバス床面の改装構造であって、
前記洗面室の床面には、少なくとも前記浴槽との間に側溝を有して複数のタイル又は人造大理石からなる床材が、接着層を介して増し貼りされた改装床として形成され、前記改装床の表面は水平面に形成されていることを特徴とするユニットバス床面の改装構造。
【請求項２】
前記側溝の表面には塗装面が形成されていることを特徴とする請求項１記載のユニットバス床面の改装構造。
【請求項３】
前記改装床の表面は、前記ユニットバスの入口部の底面に対して略同一面に形成されていることを特徴とする請求項１又は２記載のユニットバス床面の改装構造。
【請求項４】
隣接する前記床材は、お互いに対向する側面どうしを突き付け接触により接合されていることを特徴とする請求項１，２又は３記載の床面の改装構造。
【請求項５】
前記床材が、防滑材料で形成されていることを特徴とする請求項１，２，３又は４記載のユニットバス床面の改装構造。
【請求項６】
前記床材が、断熱層を有して形成されていることを特徴とする請求項１，２，３又は４記載のユニットバス床面の改装構造。
【請求項７】
合成樹脂複合材料で形成された床面と四方の壁部と天井と、を備えて一体的に構成され、床面には排水口が配設されるとともに、少なくとも浴室と洗面室とを備え、前記浴室には浴槽が配設されるとともに前記洗面室には少なくとも洗面器が配設されたユニットバスにおける前記洗面室の床面を改装するユニットバス床面の改装工法であって、
前記洗面室の床面に、少なくとも前記浴槽との間に側溝を形成しつつ、床勾配を吸収して上面を水平面となるように接着材料を貼着し、前記接着材料の上面にタイル又は人造大理石からなる床材を増し貼りして改装床を形成することを特徴とするユニットバス床面の改装工法。
【発明の詳細な説明】
【技術分野】
【０００１】
本発明は、特に、ホテルのユニットバスを改装することに関し、ＦＲＰ等の合成樹脂複合材料で形成されたユニットバスの老朽化に対するユニットバス床面の改装構造及び改装工法に関する。
【背景技術】
【０００２】
一般に、ホテルの各客室には、ユニットバスが設置されている。ユニットバスは、合成樹脂複合材料（通常、ＦＲＰという）で形成され、浴室と洗面室とを備えている。浴室には浴槽が配置され、洗面室には、洗面器及び便器が配置されている。浴室と洗面室とはカーテンで仕切られていて、洗面室の床面においては、排水を外部に排出するための排水口が設けられ、床面は排水口に向かって低くなるような床勾配を有して形成されている。
【０００３】
しかし、長期間の使用によりユニットバスが老朽化すると、改装工事が求められる。改装工事を行う際に、ユニットバスそのものを交換すると、工事期間が長くなるとともに改装費用も高くなるため、改装しなければならない必要な部位だけの改装工事が求められていた。従来から提供されているユニットバスの改装構造としては、特許文献１及び特許文献２が知られている。
【０００４】
特許文献１は、ユニットバスルームにおける壁の裾野のふくらみを修正するものであり、ふくらみの生じている箇所の合成樹脂シートを取り除くとともに、床と壁下部間に接合されている充填剤を除去して、新たに防カビ剤配合シリコーンを充填するものである。また特許文献２は、ユニットバスを、二重床上に設置することによって三重床構造とし、建物のリフォームを容易に行うことができるようにしたものである。
【特許文献１】特開９−１３７１４号公報
【特許文献２】特開２００７−２９７７７２公報
【発明の開示】
【発明が解決しようとする課題】
【０００５】
しかし、ホテルに設置されたユニットバスの老朽化に伴って、改装工事を行う場合、顧客からの要望は洗面室の床面に関することが多い。つまり、洗面室の床面は、大勢の人が出入りすることによって、床面に軋みや沈み込みは発生することがある。また、汚れが目立つことや、排水のために床面が傾斜していることによって立ち居姿勢ではバランスを悪く感じさせることや、入口部の底面と床面との間に段差があるため、洗面室や浴室への出入りの際につまずく虞があって危険である。また、浴槽や洗面器から零れた水が床面に溜まることにより滑りやすいこと等が挙げられ、これ等のことから床面に対する改装工事が第１の要望として挙げられていた。この場合においても、ユニットバス全体を交換することは、工事期間を長くするとともに、廉価な費用では改装できないことから、既設のユニットバスの一部を改装して行わなければならなかった。
【０００６】
したがって、改装工事を行う場合には、以下の点を考慮する必要があった。
【０００７】
つまり、
（１）工期が短く、低価格であること、
（２）床排水をスムーズに行うこと、
（３）バリアフリーであること、
（４）床の軋みや沈み込みを防止すること、
（５）高級感を出すこと、
（６）冷たさを感じさせない、
（７）清掃が容易であること、
（８）床面を滑り難くすること、
（９）床勾配を感じさせないこと、
等を考慮して改装工事を行う必要があった。
【課題を解決するための手段】
【０００８】
本発明は、上述の課題を解決するために、老朽化された既設のユニットバスの一部を改装するものであり、上記の顧客の要望を含めて改装できるユニットバス床面の改装構造及び改装工法を提供することを目的とする。そのために、本発明のユニットバス床面の改装構造及び改装工法は、以下のように構成するものである。すなわち、
請求項１記載の発明では、合成樹脂複合材料で形成された床面と四方の壁部と天井と、を備えて一体的に構成され、床面には排水口が配設されるとともに、少なくとも浴室と洗面室とを備え、前記浴室には浴槽が配設されるとともに前記洗面室には少なくとも洗面器が配設されたユニットバスにおける前記洗面室の床面を改装するユニットバス床面の改装構造であって、前記洗面室の床面には、少なくとも前記浴槽との間に側溝を有して複数のタイル又は人造大理石からなる床材が、接着層を介して増し貼りされた改装床として形成され、前記改装床の表面は水平面に形成されていることを特徴とするものである。
【０００９】
請求項２記載の発明では、前記側溝の表面には塗装面が形成されていることを特徴としている。
【００１０】
請求項３記載の発明では、前記床材の表面は、前記ユニットバスの入口部の底面に対して略同一面に形成されていることを特徴としている。
【００１１】
請求項４記載の発明では、隣接する前記床材は、お互いに対向する側面どうしを突き付け接触により接合されていることを特徴としている。
【００１２】
請求項５記載の発明では、前記床材が、防滑材料で形成されていることを特徴としている。
【００１３】
請求項６記載の発明では、前記床材が、断熱層を有して形成されていることを特徴としている。
【００１４】
請求項７記載の発明では、合成樹脂複合材料で形成された床面と四方の壁部と天井と、を備えて一体的に構成され、床面には排水口が配設されるとともに、少なくとも浴室と洗面室とを備え、前記浴室には浴槽が配設されるとともに前記洗面室には少なくとも洗面器が配設されたユニットバスにおける前記洗面室の床面を改装するユニットバス床面の改装工法であって、前記洗面室の床面に、少なくとも前記浴槽との間に側溝を形成しつつ、床勾配を吸収して上面を水平面となるように接着材料を貼着し、前記接着材料の上面にタイル又は人造大理石からなる床材を増し貼りして改装床を形成することを特徴とするものである。
【発明の効果】
【００１５】
本発明のユニットバス床面の改装構造は、既設のユニットバスの床面に、タイル又は人造大理石からなる床材を、少なくとも浴槽との間に側溝を形成しつつ増し貼りして行っている。増し貼りをする際、床材と床面との間には接着層を形成する。これによって改装床が形成されることとなる。この際、既設のユニットバスの床面は水を排水口まで排水するために床勾配が形成されている。そのため、床面に貼着する接着層は、床勾配を吸収して上面を水平面に形成する。接着層の上面が水平面に形成された接着層に、床材を貼着することによって、床材の上面を水平面に形成して平坦にすることができる。
【００１６】
したがって、本発明のユニットバス床面の改装構造によれば、この改装床の上面を水平面に形成できるから、洗面室での立ち居姿勢においてバランスよく立つことができることになり安定感を持つことができる。しかも、少なくとも浴槽と床材との間に側溝を形成していることから、浴槽から零れた水が側溝に入り、側溝から排水口に流れることになって改装床上に溜まることはない。そのため、滑って転倒する虞がない。
【００１７】
さらに、床面に対して、接着層と床材を増し貼りすることは、既設のユニットバス本体を交換することなく、増し貼りした接着層及び床材のみを交換することができることから、老朽化による将来的な床仕上げ更新工事を可能とすることができる。そのため廉価な改装構造を続けることができる。
【００１８】
さらに、床面に対して、接着層と床材を増し貼りすることは、改装床の上面の高さを自由に設定することができる。特に、ユニットバスの入口部に対して、既設のユニットバスでは、入り口部の底面と床面との間には、段差があることからバリアフリーには形成されていない。本発明においては、改装床面の高さを入り口部の底面と略同一となる位置に設定することによって、バリアフリーにする事ができ、高齢者や障害者にとってユニットバスの出入りを安全に行うことができる。
【００１９】
また、床材を形成する複数のタイル又は人造大理石を増し貼りする際に、隣接するタイル又は人造大理石の側面どうしを突き付けるようにすれば、目地部を狭くすることができて、清掃の際、目地部に溜まりやすいゴミを容易な作業で行うことができる。
【００２０】
この際、個々のタイル又は人造大理石の大きさを、従来のものより広いものを使用することによって、床荷重の分散化を図ることができ、軋みや沈み込みを防止することができる。
【００２１】
また、この発明では、顧客の要望を取り入れるための各種の構造とすることができる。例えば、タイルや人造大理石を防滑材料で形成されたものを使用することによって、床材の上面を滑り難くして転倒を防止でき、断熱層を有して形成されているものを使用することによって、冷たさを感じさせないように構成することができる。
【００２２】
いずれにしろ、本発明では、既設のユニットバスの床面に床材を増し貼りすることによって、上記のような顧客からの多様なニーズに答えることができるとともに、ユニットバス本体を交換する必要がないから、工事期間を短縮できるとともに廉価な費用で施工することができる。
【発明を実施するための最良の形態】
【００２３】
次に、本発明の実施形態を図面に基づいて説明する。
【００２４】
図１は、ホテルに使用されている一般的なユニットバス本体１を示す平面視であり、図２は一部正面視、図３は一部側面視を示すものである。ユニットバス本体１は、図１〜３に示すように、客室内の通路に沿って取付けられ、四方の壁２に囲まれた浴室３と洗面室５とを備えて、合成樹脂複合材料（以下、ＦＲＰで説明する）で一体的に形成されている。図１に示すユニットバス本体１は、ユニットバス本体１の洗面室５における底面９が老朽化したことにより、新たに改装された状態を示すものである。なお、本発明のユニットバス床面の改装構造は、水処理可能な床面を有するものに好適であり、少なくとも浴槽と浴槽に隣接する床面が形成されているものに好適である。そのため、洗面器や便器が配置されていないユニットバスでも改装工事を行うことができる。以下にあたっては、浴槽と便器と洗面器を有するユニットバスで説明する。
【００２５】
浴室３には、浴槽４が配置され、洗面室５には、便器６及び洗面器７が配置されている。ユニットバス本体１の一方の壁２に室内の通路から出入可能な入口部８が配置されている。入口部８には、開閉可能なドア８１が配置されている。洗面室５の床面９には、新たに増し貼りされた改装床部１０が配置されている。
【００２６】
図４に示すように、改装床部１０は、床面９上に接着材料１２を所定位置に一面に貼着して接着層１１を形成し、接着層１１の上層に床材１３を貼着して構成されている。ユニットバス本体１の床面９は、排水口９１に排水を流すために、排水口９１（図１参照）に向かって低くなるような床勾配が形成されている。一方、改装床部１０の周りの一部には排水口９１に水を排水するための側溝１５が形成されている。実施形態の場合、図１に示すように、浴槽４と改装床部１０との間に側溝１５Ａ、入口部８と改装床部１０との間に側溝１５Ｂが形成されている。
【００２７】
接着材料１２は、例えば、建築構造で一般的に使用されているエポキシ樹脂材で形成され、床勾配に合わせて低い位置には厚みを厚くして、その上面を水平面となるように貼着する。なお床勾配の測定は、改装工事を行う前に、予め水準器によって各位置のレベル出しを行っておく。そして、床面の各位置に測定結果を記入しておくことによって、測定結果に基づいて接着剤の貼着する厚みを考慮しながら、接着材料１２を床面９上に貼着することになる。したがって、接着層１１は、図４に示すように、側溝１５（図例の場合、浴槽４との間に形成される側溝１５Ａ）側が、床勾配の低い位置となることから、接着層１１の厚みが厚く形成されその反対側が薄く形成されることになる。
【００２８】
接着層１１の上層部に貼着される床材１３は、タイル又は人造大理石で形成され、矩形板状の単材を前後左右に並設させて、設定された改装床部１０の範囲内でそれぞれ繋ぎ合わせて構成する。この際、床材をその用途に合わせて適用されるものを使用する。例えば、高齢者又は障害者用であって滑りにくい床材を使用する場合には、防滑処理がなされた床材、例えば、登録商標「グリップフロア」（権利者  東陶機器株式会社）で使用されているタイルを使用するか、あるいは既製商品に対して後工程において防滑処理を行う。また、冷たさを解消する場合に、断熱処理がなされた床材、例えば、登録商標「サーモタイル」（権利者  サーモ株式会社）で使用されているタイルを使用するか、あるいは床暖房施工を行う。
【００２９】
また、床面９の軋みや沈み込みを防止する場合には、小さい寸法（１００mm□以下）の単材では床に対して集中荷重が加わるため、できるだけ大きい寸法（１５０mm□以上）の単材を使用する。これによって、床荷重の分散化を図れることから、軋みや沈み込みを防止しやすい。
【００３０】
また、実施形態においては、図４に示すように、隣接する床材１３どうしを突き付け接合する。つまり、各床材１３の側面を直接又は両面テープ等を介して接合することによって、隣接する床材１３、１３間の目地部を略無くするか、又は狭くする。これによって、目地部に溜まりやすいゴミを少なくすることができて清掃作業を容易にすることができる。
【００３１】
また、改装床部１０の側面を含めて側溝１５上には、側溝１５の上面あるいはその周辺を滑らかにするための塗装層１６を形成する。塗装層１６は、下地層（例えば、ゲルコートで形成される層）と下地層の表面に形成される仕上げ層（例えば、ウレタン塗装層）とで形成されている。塗装層１６は、図４における黒く塗りつぶした線で示すように、側溝１５の周辺、図４においては、改装床部１０における側溝１５Ａと対面する一方の側面部から、側溝１５の上面を通り、側溝１５Ａを間にして改装床部１０の側面に対向する壁（図４の場合には浴槽４の壁部）の所定高さ位置にわたって形成されている。なお、塗装層１６における浴槽４の壁部における床面９からの所定の高さ位置は、改装工事を施工するための幅木を示す位置であり、改装した部位を明確にするものである。さらに、側溝１５Ａの反対側に配置される改装床部１０の他方の端部と壁部２の間においても形成されている。
【００３２】
したがって、浴槽４から零れた水や、洗面器から零れた水は、改装床部１０上に飛び散る前に側溝１５Ａに落下してそのまま排水口９１に向かって流れることとなる。また改装床部１０上に溜まった水も側溝１５Ａに流れる。
【００３３】
一方、図５に示すように、入口部８付近においては、ドア８１の下方には入口底部１７が配置され、入口底部１７と改装床部１０との間には側溝１５Ｂが形成されている。側溝１５Ｂは、前述の側溝１５Ａの表面に形成された塗装層１６と同様の塗装層１６Ｂが形成されている。入口底部１７は、ドア８１の下面と対向しユニットバス本体１の底面から上方に向かって立ち上がり、また、改装床部１０もユニットバス１の底面から上方に向かって立ち上がって配置されているから、入口底部１７の最上段部の上面１７１と、改装床部１０の上面１０１とは、入口底部の上面１７１のほうが僅かに高い位置にあるものの段差の違いは少ない。この段差は、予め設定することができ、例えば、改装床部１０の上面１０１と、入口底部１７の最上段部の上面１７１とを略同一高さにすることもできる。このことは、バリアフリーを形成することになり、高齢者や障害者にとっては出入りしやすくなることから、安全面を向上することができる。
【００３４】
次に、改装工事の手順について説明する。
【００３５】
改装工事を行う前には、現状のユニットバス本体１を調査する。特に床勾配を水準器で測定し、床勾配の状態を確認する。次に、側溝１５を形成する位置を予め設定し、排水口９１の位置を確認して改装床部１０を増し貼りする箇所に印をしておく。床面９を清掃後、床面９に接着材料１２を貼着する。この際、改装床部１０が直接壁２に接触する部位には、予め、壁２の内面に下地層及び仕上げ層からなる塗装層１６を形成して塗装処理を行っておく。
【００３６】
接着層１１を形成した後、接着材料１２の上面が水平面を形成しているかどうかの確認を行う。次に、床材１３を接着材料１２の上面に貼着する。この際、隣接する床材１３の単材どうしを直接又は両面テープを介して突き付けにて接合する。床材１３を接着材料１２上に貼着した後、床材１３の上面が水平面を有しているかどうかの確認をし、水平面を有していない床材１３があれば、都度修正を行う。
【００３７】
これによって改装床部１０が形成されることとなる。改装床部１０を形成すると、次に側溝１５（図例の場合には、１５Ａ、１５Ｂ）の上面及び側溝１５に面する部位に、塗装層１６、１６Ｂを形成するための下地塗りと仕上げ塗りを行って塗装層１６、１６Ｂを形成する。
【００３８】
そして、改装床部１０、側溝１５上を清掃して改装工事を終了する。
【００３９】
上述のように、実施形態のユニットバス床部の改装構造によれば、既設のユニットバス本体１における洗面室５の床面９上に改装床部１０を増し貼りするので、ユニットバス本体１を交換する場合と比べて、短納期で廉価な費用で改装工事を施工することができる。また、以下の点において顧客の様々なニーズに答えることができる。
（１）改装床部１０と浴槽４との間に側溝１５Ａを設けることによって、浴槽４から零れた水を改装床部１０上に溜めることなく側溝１５Ａに落下させて排水口９１に流すことができる。
（２）改装床部１０と入口部８との間に側溝１５Ｂを設けることによって、たとえ、浴槽４から零れた水が改装床部１０上に溜まったとしても、溜まった水が側溝１５Ａに流れることから、入口部８からユニットバス１の外部に流れることはない。
（３）側溝１５には塗装層１６を形成することから、側溝１５周りを滑らかにすることができ、排水や清掃を容易にすることができる。また、壁部に形成される塗装層１６の所定の高さ位置は、改装工事を施工するための幅木を示す位置を示し、施工工事の範囲を明確にするものである。
（４）改装床部１０が洗面室５の床面９から立ち上がるように増し貼りすることから、入口部８の底面との段差を少なくしてバリアフリーを形成することができ、高齢者や障害者にとって安全な出入りを行わせることができる。
（５）ユニットバス本体１の床面９が床勾配を形成したものであっても、改装床部１０の接着層１１で床勾配を吸収することができ、改装床部１０の上面を水平面に形成することができる。
（６）改装床部１０を構成する床材１３を使用目的に合わせて増し貼りできることから、商品の選定によって高級感を出すことや、防滑処理が施されたタイルの使用により滑り難くすることや、断熱処理されたタイルの使用により冷たさを感じさせにようにすることができる。
（７）隣接する床材１３の単材の側面どうしを突き付けで接合することによって、目地部を無くすか狭くすることによってゴミを溜まりにくくして清掃を容易にすることができる。
（８）床材１３に広めのものを使用することにより、床荷重を分散することができて、軋み音や沈み込みを防止することができる。
（９）ユニットバス本体１の床面９に、改装床部１０を増し貼りすることによって、将来的に改装工事を行うことになっても、改装床部１０を剥がして新たに増し貼りできるので、更新工事を可能とすることができる。
【００４０】
なお、本発明のユニットバス床面の改装構造では、上記の形態に限定するものではない。例えば、ユニットバスに便器や洗面器が設置されていないものであっても、上記と同様な構成であれば適用できるものである。また、ホテルのユニットバスに限定するものではなく、他の宿泊施設や一般家庭等に使用されているユニットバスであっても適用することができる。
【００４１】
さらに、床材１３として使用されるタイル又は人造大理石は、その使用用途に適合したものであれば、防滑処理や断熱処理がなされたもの以外のものでも使用することができる。
【図面の簡単な説明】
【００４２】
【図１】本発明に適用される一形態のユニットバスを示す平面視である。
【図２】図１におけるII矢視図である。
【図３】図１におけるIII矢視図である。
【図４】本発明による改装床部と浴槽との関係を示す一部断面図である。
【図５】本発明による改装床部と入口部との関係を示す一部断面図である。
【符号の説明】
【００４３】
１、ユニットバス
２、壁
３、浴室
４、浴槽
５、洗面室
７、洗面器
８、入口部
９、床面
９１、排水口
１０、改装床部
１１、接着層
１２、接着剤
１３、床材
１５、側溝
１６、塗装層
１７、入口底部
【図１】
2008248694.tif 000003
【図２】
2008248694.tif 000004
【図３】
2008248694.tif 000005
【図４】
2008248694.tif 000006
【図５】
2008248694.tif 000007